(57)【要約】【課題】蓋体に対し応用範囲の広い機能性を付与すると同時に、一見してその開蓋操作と施蓋操作とを知ることができる円筒体に対する施蓋構造の提供。【解決手段】少なくとも本体部１４に続く一端部１５側に開口部１６を設けてなる円筒体１３と、該円筒体１３の開口部１６側を着脱自在に施蓋する蓋体３３とで構成され、該蓋体３３は、円筒体１３の一端部１５の外周面に突設されたガイドピン１８の導入を許して、その施蓋操作時に案内する縦孔部４０と横孔部４１とからなるピン導入孔３９をその対面部位に設けて形成され、ガイドピン１８を横孔部４１に位置させることで開蓋困難な施蓋を自在とした。【選択図】図１
2006032292.tif 000002
【特許請求の範囲】
【請求項１】
少なくとも本体部に続く一端部側に開口部を設けてなる円筒体と、該円筒体の前記開口部側を着脱自在に施蓋する蓋体とで構成され、
該蓋体は、円筒体の前記一端部の外周面に突設されたガイドピンの導入を許して、その施蓋操作時に案内する縦孔部と横孔部とからなるピン導入孔をその対面部位に設けて形成され、前記ガイドピンを前記横孔部に位置させることで開蓋困難な施蓋を自在としたことを特徴とする円筒体に対する施蓋構造。
【請求項２】
円筒体の前記一端部は、その本体部側の外径より大径な外径を有して前記一端部の略下半外周面を形成している大径部と、前記本体部の外径より小径な外径を有して段差を介して前記一端部の略上半外周面を形成している小径部とからなり、
前記蓋体は、その天板部寄りに位置する上側周壁部が円筒体の前記小径部の導入を許す小径内周面を有し、前記上側周壁部の下方に位置する下側周壁部が円筒体の前記大径部の導入を許す大径内周面を有して形成され、
前記ガイドピンは、円筒体の前記大径部の外周面に突設するとともに、
前記ピン導入孔は、蓋体において前記大径内周面が位置する下側周壁部に形成した請求項１に記載の円筒体に対する施蓋構造。
【請求項３】
前記円筒体は、１以上の電池の収容を自在に形成された前記本体部と、前記ガイドピンの直上位置にある一端部の前記小径部側にて電池の一方の極との接離が自在に突出させた接点金具と、前記ガイドピンの直下方向に位置する大径部の周方向での部分的部位に設けた左端と右端とに凹部を有する横溝部と、該横溝部の右端の凹部近傍に形成された縦溝部とで形成し、
前記蓋体は、その施蓋時に小径内周面に円筒体の前記小径部が到達するに至るまで前記ガイドピンを導入する第１の縦孔部と、該第１の縦孔部に連続させてガイドピンの横移動を許す第１の横孔部と、該第１の横孔部と連続させて前記ガイドピンの下方移動を許す第２の縦孔部と、該第２の縦孔部と連続させて前記ガイドピンの横移動を許す第２の横孔部とからなる前記ピン導入孔と、
前記下側周壁部の内側面における前記第２の横孔部の略中間に位置する開放縁近傍に設けた突起と、
前記天板部の内側面から前記周壁部における上側周壁部の前記第２の横孔部の終端側に向けて架け渡された導電金具片とを設けて形成し、
円筒体の前記ガイドピンが蓋体の第１の縦孔部から第１の横孔部へと至る間に円筒体の前記縦溝部に案内された前記突起が本体部側に位置し、前記ガイドピンが第２の縦孔部の下端に到達した際に前記突起が前記横溝部の右端の凹部に導入され、第２の横孔部の右端に到達した際に前記突起が横溝部の左端の凹部に導入されると同時に、前記接点金具が前記導電金具片と接触するに至る請求項２に記載の円筒体に対する施蓋構造。
【請求項４】
円筒体における前記横溝部と前記縦溝部とは、その位置関係を１８０度ずらした二カ所に形成し、これに対応させるべく蓋体における前記ピン導入孔と前記突起とをその位置関係を１８０度ずらした二カ所に形成した請求項３に記載の円筒体に対する施蓋構造。
【発明の詳細な説明】
【技術分野】
【０００１】
本発明は、検電器を含む各種の電池機器などの機器類を構成している円筒体の開口部側に対し蓋体を簡単、かつ、確実に施蓋することができるようにした円筒体に対する施蓋構造に関する技術である。
【背景技術】
【０００２】
検電器を含む各種の電池機器などの機器類を構成している円筒体は、内蔵電池の脱落防止など、内部に収納させてある物が脱落しないようにその開口部を蓋体で施蓋できるようになっている。
【０００３】
図６は、上記した円筒体と蓋体との間の従来構造例を示す斜視図であり、そのうちの（ａ）は開蓋状態を、（ｂ）は施蓋状態を示す。これによれば、円筒体１は、その先端部には適宜の検出部２を、基端部の周面には雄ネジ部３をそれぞれ備え、内部には図示しない乾電池を収納することができるようになっている。また、基端部側に位置する開口部４は、雌ネジ部６を設けた蓋体５を螺合することで、その着脱を自在に施蓋することができるようになっている。また、この種の施蓋構造は、例えば下記特許文献１などにも開示されている。
【特許文献１】特開平１０−３２１００１号公報
【発明の開示】
【発明が解決しようとする課題】
【０００４】
しかし、図６や特許文献１に示される施蓋構造は、蓋体の側に例えばスイッチ機能などの付加機能を兼備させようとしても、構造的に難しく機能面での応用範囲が狭いという不都合があった。
【０００５】
また、上記施蓋構造は、これを一見しただけでは嵌着構造なのか螺合構造なのかなどの見極めが難しく、使用者が間違わないように予め開蓋方法などを明記して明らかにしておく必要があった。
【０００６】
本発明は、従来技術の上記課題に鑑み、蓋体に対し応用範囲の広い機能性を付与すると同時に、一見してその開蓋操作と施蓋操作とを知ることができる円筒体に対する施蓋構造を提供することを目的とする。
【課題を解決するための手段】
【０００７】
本発明は、上記目的を達成すべくなされたものであり、そのうちの請求項１に係る発明は、少なくとも本体部に続く一端部側に開口部を設けてなる円筒体と、該円筒体の前記開口部側を着脱自在に施蓋する蓋体とで構成され、該蓋体は、円筒体の前記一端部の外周面に突設されたガイドピンの導入を許して、その施蓋操作時に案内する縦孔部と横孔部とからなるピン導入孔をその対面部位に設けて形成され、前記ガイドピンを前記横孔部に位置させることで開蓋困難な施蓋を自在としたことを最も主要な特徴とする。
【０００８】
また、請求項１に係る発明における円筒体の前記一端部は、その本体部側の外径より大径な外径を有して前記一端部の略下半外周面を形成している大径部と、前記本体部の外径より小径な外径を有して段差を介して前記一端部の略上半外周面を形成している小径部とからなり、前記蓋体は、その天板部寄りに位置する上側周壁部が円筒体の前記小径部の導入を許す小径内周面を有し、前記上側周壁部の下方に位置する下側周壁部が円筒体の前記大径部の導入を許す大径内周面を有して形成され、前記ガイドピンは、円筒体の前記大径部の外周面に突設するとともに、前記ピン導入孔は、蓋体において前記大径内周面が位置する下側周壁部に形成することができる。
【０００９】
さらに、請求項２に係る発明における前記円筒体は、１以上の電池の収容を自在に形成された前記本体部と、前記ガイドピンの直上位置にある一端部の前記小径部側にて電池の一方の極との接離が自在に突出させた接点金具と、前記ガイドピンの直下方向に位置する大径部の周方向での部分的部位に設けた左端と右端とに凹部を有する横溝部と、該横溝部の右端の凹部近傍に形成された縦溝部とで形成し、前記蓋体は、その施蓋時に小径内周面に円筒体の前記小径部が到達するに至るまで前記ガイドピンを導入する第１の縦孔部と、該第１の縦孔部に連続させてガイドピンの横移動を許す第１の横孔部と、該第１の横孔部と連続させて前記ガイドピンの下方移動を許す第２の縦孔部と、該第２の縦孔部と連続させて前記ガイドピンの横移動を許す第２の横孔部とからなる前記ピン導入孔と、前記下側周壁部の内側面における前記第２の横孔部の略中間に位置する開放縁近傍に設けた突起と、前記天板部の内側面から前記周壁部における上側周壁部の前記第２の横孔部の終端側に向けて架け渡された導電金具片とを設けて形成し、円筒体の前記ガイドピンが蓋体の第１の縦孔部から第１の横孔部へと至る間に円筒体の前記縦溝部に案内された前記突起が本体部側に位置し、前記ガイドピンが第２の縦孔部の下端に到達した際に前記突起が前記横溝部の右端の凹部に導入され、第２の横孔部の右端に到達した際に前記突起が横溝部の左端の凹部に導入されると同時に、前記接点金具が前記導電金具片と接触するに至るものであってもよい。
【００１０】
請求項３に係る発明における円筒体における前記横溝部と前記縦溝部とは、その位置関係を１８０度ずらした二カ所に形成し、これに対応させるべく蓋体における前記ピン導入孔と前記突起とをその位置関係を１８０度ずらした二カ所に形成するのが好ましい。
【発明の効果】
【００１１】
本発明のうち、請求項１に係る発明によれば、一見しただけで円筒体のガイドピンを縦孔部と横孔部とからなるピン導入孔に単に案内させて送り入れことが判明するので、誰もが蓋体の施蓋操作と開蓋操作とを間違うことなく容易に行うことができる。
【００１２】
また、請求項２に係る発明によれば、円筒体の前記一端部を前記ガイドピンを突設させた大径部とこれに続く小径部とで形成し、前記蓋体を円筒体の前記小径部の導入を許す小径内周面と前記大径部の導入を許して前記ピン導入孔が位置する大径内周面とを設けて形成してあるので、円筒体に対する蓋体側の動きに変化を与えることができ、それだけ機能面での応用範囲を広くして用いることができる。
【００１３】
一方、請求項３に係る発明によれば、前記円筒体は、電池の一方の極との関係で用いられる接点金具と、左端と右端とに凹部を有する横溝部と、該横溝部の右端の凹部近傍に形成された縦溝部とを備え、前記蓋体は、前記ガイドピンが導入される第１の縦孔部と許す第１の横孔部と第２の縦孔部と第２の横孔部とからなる前記ピン導入孔と、前記第２の横孔部の略中間に位置する開放縁近傍に設けた突起と、電池の一方の極と接触する導電金具片とを備えているので、前記突起が左端の凹部に到達した際に前記接点金具と導電金具片とが接触するスイッチ機構を付与することができる。
【００１４】
さらに、請求項４に係る発明によれば、円筒体における前記横溝部と前記縦溝部とを１８０度ずらした二カ所に、蓋体における前記ピン導入孔と前記突起とを１８０度ずらした二カ所にそれぞれ形成してあるので、相互が二点にて位置固定されてその施蓋状態もより安定したものとすることができる。
【発明を実施するための最良の形態】
【００１５】
図１は、本発明の一例を開蓋状態のもとで示す要部拡大斜視図であり、図２は、図１の例につきその位置関係をややずらして示す要部拡大斜視図である。また、図３は、本発明を検電器に適用した場合を示す全体図であり、そのうちの（ａ）は正面図を、（ｂ）は（ａ）におけるＡ−Ａ線矢視方向での断面図をそれぞれ示す。
【００１６】
これらの図によれば、電池機器１１のひとつである検電器１２を構成している円筒体１３は、２本の乾電池など、１以上の適宜種類の電池５０の収容を自在に形成された本体部１４と、これに続く一端部１５側に開口部１６を設けて形成されおり、該開口部１６は、蓋体３３により着脱自在に施蓋することができるようになっている。
【００１７】
蓋体３３は、円筒体１３の一端部１５の外周面に突設されたガイドピン１８の導入を許して、その施蓋操作時に案内する縦孔部３５と横孔部３６とからなるピン導入孔３４をその対面部位に設けて形成されており、これによりガイドピン１８を横孔部３６に位置させて開蓋困難に施蓋することができるようになっている。
【００１８】
この場合、円筒体１３の一端部１５は、その本体部１４側の外径より大径な外径を有して一端部１５の略下半外周面を形成している大径部１７と、本体部１４の外径より小径な外径を有して一端部１５の略上半外周面を形成している小径部２３とで形成されている。
【００１９】
また、蓋体３３は、その天板部３４寄りに位置する上側周壁部３５が円筒体１３の小径部２３の導入を許す小径内周面３６を有し、上側周壁部３５の下方に位置する下側周壁部３７が円筒体１３の大径部１７の導入を許す大径内周面３８を有して形成されている。
【００２０】
また、ガイドピン１８は、円筒体１３の大径部１７の外周面に突設され、ピン導入孔３９は、蓋体３３において大径内周面３８が位置する下側周壁部３７に形成されている。
【００２１】
これをさらに詳しく説明すれば、円筒体１３は、１以上の電池５０の収容を自在に形成された本体部１４と、ガイドピン１８の直上位置にある一端部１５の小径部２３側にて電池５０の一方の極であるプラス極５１との接離が自在に切欠窓２４を介して突出させた接点金具２５と、ガイドピン１８の直下方向に位置する大径部１７の周方向での部分的部位に設けた左端と右端とに凹部２０，２１を有する横溝部１９と、該横溝部１９の右端の凹部２１近傍に形成された縦溝部２２とを少なくとも備えて形成されている。
【００２２】
蓋体３３は、その施蓋時に小径内周面３６に円筒体１３の小径部２３が到達するに至るまでガイドピン１８を導入する縦孔部４０における第１の縦孔部４０ａと、該第１の縦孔部４０ａに連続させてガイドピン１８の横移動を許す横孔部４１における第１の横孔部４１ａと、該第１の横孔部４１ａと連続させてガイドピン１８の下方移動を許す縦孔部４０における第２の縦孔部４０ｂと、該第２の縦孔部４０ｂと連続させてガイドピン１８の横移動を許す横孔部４１における第２の横孔部４０ｂとからなるピン導入孔３９を備えている。
【００２３】
しかも、蓋体３３は、下側周壁部３７の内側面における第２の横孔部４０ｂの略中間に位置する開放縁４２近傍に設けた突起４３と、天板部３４の内側面から上側周壁部３５のそれぞれの第２の横孔部４０ｂの終端側に向けて架け渡された略コ字形を呈する導電金具片４４とを備えて形成されている。
【００２４】
図４は、導電金具片４４の具体的な形状を例示した斜視図であり、天板３４の内側面中央部に架け渡されて電池５０の例えばプラス極５１と接触する本体部４４ａと、蓋体３３の上側周壁部３５における小径内周面３６に沿うように折曲されてそのいずれか一方が接点金具２５との接触を自在に配置される各折曲端部４４ｂとで形成されている。
【００２５】
また、円筒体１３における横溝部１９と縦溝部２２とは、その位置関係を１８０度ずらした二カ所に形成されており、これに対応させるべく蓋体３３におけるピン導入孔３９と突起４３とは、その位置関係を１８０度ずらした二カ所に形成されている。なお、図中の符号４５は、円筒体１３に対する施蓋時における蓋体３３の位置関係を示す目印を示す。また、必要により、円筒体１３における横溝部１９と縦溝部２２と、および蓋体３３におけるピン導入孔３９と突起４３とのそれぞれは各一カ所に設けることもできる。
【００２６】
次に、上記構成からなる本発明の作用・効果を、図５（ａ）〜（ｅ）に示す施蓋状態から開蓋状態へと至る一連の動きを追いながら説明する。図５（ａ）は、円筒体１３の一端部１５側の開口部を覆った施蓋状態にあって、図３（ｂ）および図４に示されているように蓋体３３が備える導電金具片４４が電池５０のプラス極５１と円筒体１３が備える接点金具２５との双方に接触している状態、つまり、円筒体１３のガイドピン１８がピン導入孔３９における第２の横孔部４１ｂの終端側に位置し、蓋体３３の突起４３が円筒体１３の横溝部１９における右端の凹部２１に入り込んだ状態を示している。このとき、蓋体３３は、回路をオン状態とするスイッチ機能を果たしていることになる。
【００２７】
図５（ｂ）は、円筒体１３のガイドピン１８がピン導入孔３９における第２の横孔部４１ｂの始端側に位置し、蓋体３３の突起４３が円筒体１３の横溝部１９における左端の凹部２０に入り込んだ状態を示している。このとき、蓋体３３は、回路をオフ状態とするスイッチ機能を果たしていることになる。
【００２８】
図５（ｃ）は、円筒体１３のガイドピン１８がピン導入孔３９における第２の縦孔部４０ｂの上端側に位置し、蓋体３３の突起４３が円筒体１３の横溝部１９における左端の凹部２０から本体部１４側に脱出して大径部１７がら離脱した状態にあることを示している。このとき、蓋体３３は、開蓋困難な施蓋状態にある。
【００２９】
図５（ｄ）は、円筒体１３のガイドピン１８がピン導入孔３９における第１の縦孔部４０ａの終端側に位置し、蓋体３３の突起４３が円筒体１３の縦溝部２２と直面する位置にある状態を示している。このとき、円筒体１３のガイドピン１８は、蓋体３３の第１の縦孔部４０ａの始端側と向き合い、かつ、突起４３も円筒体１３の縦溝部２２内に入り込める状態にある。
【００３０】
図５（ｅ）は、  図５（ｄ）の状態のもとで蓋体３３を上方に引き上げた際のガイドピン１８と第１の縦孔部４０ａとの位置関係、および円筒体１３の縦溝部２２と蓋体３３の突起４３との位置関係をそれぞれ示す。このとき、蓋体３３は、円筒体１３側から円滑に引き離しながら開蓋することができることになる。なお、以上とは逆の手順を踏んでガイドピン１８をピン導入孔３９に導入することで、蓋体３３による施蓋とスイッチ操作とを行うことができる。
【００３１】
つまり、円筒体１３のガイドピン１８が蓋体３３の第１の縦孔部４０ａから第１の横孔部ａへと至る間に円筒体１３の縦溝部２２に案内された突起４３が本体部１４側に位置し、ガイドピン１８が第２の縦孔部４０ｂの下端に到達した際に突起４３が横溝部１９の右端の凹部２１に導入され、第２の横孔部４１ｂの終端に到達した際に突起４３が横溝部１９の左端の凹部２０に導入されると同時に、接点金具２５が導電金具片４４と接触するに至り、通電状態となることになる。
【００３２】
以上は、本発明を図示例に基づいて説明したものであり、その具体的な技術的範囲はこれに限定されるものではない。例えば、蓋体３３のピン導入孔３９を図示例とは逆向きに形成し、これに対応する構成各部も逆配置とすることで、蓋体を反時計方向に操作して施蓋と開蓋とができるようにするものであってもよい。また、接点金具２５と導電金具片４４との接離関係は、円筒体１３側の縦溝部２２の位置や蓋体３３側のピン導入孔３９の位置を図示例とは逆向きにすることで、突起４３が横溝部１９の左端の凹部２０から右端の凹部２１へと導入されると同時に、接点金具２５が導電金具片４４と接触するに至り、通電状態となるようにすることもできる。
【産業上の利用可能性】
【００３３】
以上の説明は、本発明を検電器に適用した場合を例に説明したものであるが、本発明の適用機器はこれに限られるものではなく、本体部に電池を内蔵させ、その蓋部にスイッチ機能を付与してなる計測器を含む各種電池機器を構成している円筒体に対する施蓋構造として適用することができる。
【図面の簡単な説明】
【００３４】
【図１】本発明の一例を開蓋状態のもとで示す要部拡大斜視図。
【図２】図１に示す例につきその位置関係をややずらして示す要部拡大斜視図。
【図３】本発明を検電器に適用した場合を示す全体図であり、そのうちの（ａ）は正面図を、（ｂ）は（ａ）におけるＡ−Ａ線矢視方向での断面図をそれぞれ示す。
【図４】導電金具片の具体的な形状を例示した斜視図。
【図５】図３に示す検電器を例に施蓋状態から開蓋状態に至るまでの一連の動きを（ａ）〜（ｅ）として示す説明図。
【図６】上記した円筒体と蓋体との間の従来構造例を示す斜視図であり、そのうちの（ａ）は開蓋状態を、（ｂ）は施蓋状態を示す。
【符号の説明】
【００３５】
１１  電池機器
１２  検電器
１３  円筒体
１４  本体部
１５  一端部
１６  開口部
１７  大径部
１８  ガイドピン
１９  横溝部
２０，２１凹部
２２  縦溝部
２３  小径部
２４  切欠窓
２５  接点金具
３３  蓋体
３４  天板部
３５  上側周壁部
３６  小径内周面
３７  下側周壁部
３８  大径内周面
３９  ピン導入孔
４０  縦孔部
４０ａ  第１の縦孔部
４０ｂ  第２の縦孔部
４１  横孔部
４１ａ  第１の横孔部
４１ｂ  第２の横孔部
４２  開放縁
４３  突起
４４  導電金具片
４４ａ  本体部
４４ｂ  折曲端部
５０  電池
５１  プラス極
【図１】
2006032292.tif 000003
【図２】
2006032292.tif 000004
【図３】
2006032292.tif 000005
【図４】
2006032292.tif 000006
【図５】
2006032292.tif 000007
【図６】
2006032292.tif 000008